(57)【特許請求の範囲】
【請求項１】
筒状のケース本体と、
前記ケース本体の一方の開口を塞ぐ金属製の裏蓋と、
前記ケース本体の内側に配置されたムーブメントと、
前記裏蓋および前記ムーブメントの間に配置されたスペーサーと、を備え、
前記裏蓋の前記ムーブメント側には、前記裏蓋を厚み方向から見た平面視において、前記裏蓋の平面中心から前記裏蓋の外周までの距離の半分となる位置よりも外側に、凹部が設けられ、
前記スペーサーは、前記凹部に配置され、
前記スペーサーの厚み寸法は、前記凹部の深さ寸法よりも大きい
ことを特徴とする時計。
【請求項２】
請求項１に記載の時計において、
前記凹部は、前記平面視において、前記裏蓋の外周に沿った円環形状であり、
前記スペーサーは、前記平面視において、前記凹部に対応した円環形状である
ことを特徴とする時計。
【請求項３】
請求項２に記載の時計において、
前記ムーブメントは、前記スペーサーの周方向の回転を規制する規制部を備える
ことを特徴とする時計。
【請求項４】
請求項１に記載の時計において、
前記ムーブメントに取り付けられた巻真を備え、
前記スペーサーは複数設けられ、
前記複数のスペーサーの少なくとも１つは、前記平面視において、前記巻真の軸に沿った直線と重なる位置に配置されている
ことを特徴とする時計。
【請求項５】
請求項１から請求項４のいずれか１項に記載の時計において、
前記スペーサーは、スペーサー本体部と、前記スペーサー本体部を前記ムーブメントに押圧させる押圧部と、を備える
ことを特徴とする時計。
【請求項６】
請求項１から請求項５のいずれか１項に記載の時計において、
前記ムーブメントは、前記凹部の底面に当接し、前記底面を押圧する金属バネを備える
ことを特徴とする時計。
【発明の詳細な説明】
【技術分野】
【０００１】
本発明は、時計に関する。
【背景技術】
【０００２】
従来、腕時計において、衝撃により時計が破損することを抑制するため、緩衝構造を備えた時計が知られている（例えば、特許文献１参照）。
特許文献１の腕時計では、時計用モジュールと、平坦な裏蓋との間に、弾性材料で形成された下部緩衝部材が配置されている。
【先行技術文献】
【特許文献】
【０００３】
【特許文献１】特開２０１３−１９０４１９号公報
【発明の概要】
【発明が解決しようとする課題】
【０００４】
しかしながら、特許文献１の腕時計では、時計用モジュールと裏蓋との間に、下部緩衝部材を配置させるスペースを確保する必要があるため、下部緩衝部材を配置させない場合と比べて、時計全体の厚み寸法が大きくなるという問題がある。
【０００５】
本発明の目的は、衝撃により不具合が発生することを抑制し、かつ、薄型化できる時計を提供することにある。
【課題を解決するための手段】
【０００６】
本発明の時計は、筒状のケース本体と、前記ケース本体の一方の開口を塞ぐ金属製の裏蓋と、前記ケース本体の内側に配置されたムーブメントと、前記裏蓋および前記ムーブメントの間に配置されたスペーサーと、を備え、前記裏蓋の前記ムーブメント側には、凹部が設けられ、前記スペーサーは、前記凹部に配置され、前記スペーサーの厚み寸法は、前記凹部の深さ寸法よりも大きいことを特徴とする。
【０００７】
ケース本体と裏蓋とは、一体で形成されていてもよいし、別体で形成されていてもよい。
例えば、時計が落下して地面に衝突した場合、その衝撃により、ムーブメントがケース本体内を裏蓋に向かって移動する場合がある。
ムーブメントには、例えば巻真など、外装部品に固定されている部品が取り付けられているため、ムーブメントがケース本体内を裏蓋に向かって移動した場合、移動量が大きくなると、当該部品に力がかかり、不具合が生じる場合がある。例えば、巻真の場合、ムーブメントから引き出される場合がある。
本発明によれば、ムーブメントが裏蓋に向かって移動した場合、ムーブメントがスペーサーを押圧し、押圧されたスペーサーが裏蓋に当たることで、ムーブメントの移動が抑制される。これにより、スペーサーが配置されていない場合と比べて、ムーブメントの裏蓋側への移動量を少なくでき、不具合が生じることを抑制できる。
また、ムーブメントが裏蓋に当たることも抑制できる。
また、スペーサーは裏蓋に形成された凹部に配置されているため、スペーサーが平坦な裏蓋とムーブメントとの間に配置される場合と比べて、裏蓋およびスペーサーを合わせた見た場合の厚み寸法を小さくできる。これにより、時計を薄型化できる。
【０００８】
本発明の時計において、前記裏蓋を厚み方向から見た平面視において、前記裏蓋の平面中心から前記裏蓋の外周までの距離の半分となる位置よりも外側に、前記凹部は設けられていることが好ましい。
【０００９】
裏蓋は、外周でケース本体に取り付けられているため、例えば水中などで外部から圧力がかかった場合、外周側の方が、平面中心側よりも撓みにくく、耐久性が高い。
このため、耐久性の高い裏蓋の外周側、具体的には、平面視において、裏蓋の平面中心から裏蓋の外周までの距離の半分となる位置よりも外側に、凹部を設けることで、耐久性の低い裏蓋の平面中心側に凹部を設ける場合と比べて、外部からの圧力に対する裏蓋の耐久性を向上できる。
【００１０】
本発明の時計において、前記凹部は、前記平面視において、前記裏蓋の外周に沿った円環形状であり、前記スペーサーは、前記平面視において、前記凹部に対応した円環形状であることが好ましい。
【００１１】
時計を組み立てる際は、ケース本体の内側にムーブメントを配置させ、当該ムーブメントにスペーサーを取り付けた後、裏蓋をケース本体に取り付ける。裏蓋には、外周面にネジ構造を備え、ケース本体にねじ込まれるねじ込みタイプの裏蓋（スクリューバック）がある。
本発明によれば、ねじ込みタイプの裏蓋を用い、ケース本体の内側にムーブメントを配置させ、当該ムーブメントにスペーサーを取り付けた後、当該裏蓋をケース本体にねじ込む場合、凹部内にスペーサーを配置させた状態で、裏蓋を回転させることができる。このため、裏蓋とスペーサーとが干渉することを回避できる。
このように本発明によれば、ねじ込みタイプの裏蓋も用いることができるため、設計の自由度を向上できる。
【００１２】
本発明の時計において、前記ムーブメントは、前記スペーサーの周方向の回転を規制する規制部を備えることが好ましい。
【００１３】
本発明によれば、ねじ込みタイプの裏蓋を用い、当該裏蓋をケース本体にねじ込む場合、スペーサーが予め設定された位置から周方向に回転してずれることを抑制できる。
また、規制部は、ムーブメントに設けられているため、当該規制部を別部品としてケース本体内に組み込む場合と比べて、時計の組み立てを容易にできる。
【００１４】
本発明の時計において、前記ムーブメントに取り付けられた巻真を備え、前記スペーサーは複数設けられ、前記複数のスペーサーの少なくとも１つは、前記平面視において、前記巻真の軸に沿った直線と重なる位置に配置されていることが好ましい。
【００１５】
巻真を備える時計では、衝撃により、巻真におけるリューズが取り付けられた位置を支点として、ムーブメントが裏蓋側に傾いたり、その反動で、ムーブメントにおける巻真が取り付けられる端部とは巻真の軸方向において反対側の端部を支点として、ムーブメントが裏蓋側に傾く傾向がある。
本発明によれば、上記のようにムーブメントが傾いた場合に、傾いた部分の先端がスペーサーを直接押圧するため、ムーブメントの裏蓋側への移動量をより確実に少なくできる。
【００１６】
本発明の時計において、前記スペーサーは、スペーサー本体部と、前記スペーサー本体部を前記ムーブメントに押圧させる押圧部と、を備えることが好ましい。
【００１７】
本発明によれば、ムーブメントは、スペーサー本体部によって裏蓋とは反対側に押圧され、文字板などに当たる。
このため、例えば、時計を動かした場合などに、ムーブメントがケース本体内で移動することを防止でき、音（ガタ音）が鳴ることを防止できる。
【００１８】
本発明の時計において、前記ムーブメントは、前記凹部の底面に当接し、前記底面を押圧する金属バネを備えることが好ましい。
【００１９】
この構成によれば、ムーブメントが文字板などに押圧されるため、例えば、時計を動かした場合などに、ムーブメントがケース本体内で移動することを防止でき、音が鳴ることを防止できる。
また、裏蓋がチタンなどステンレス鋼などと比べて柔らかい材料によって構成されている場合に、金属バネの押圧力が大きいと、金属バネの先端によって裏蓋が削られることがある。
本発明によれば、金属バネは、裏蓋の凹部の底面に当接しているため、裏蓋の凹部以外の表面に当接する場合と比べて、変形量を小さくでき、裏蓋を押す力を小さくできる。このため、裏蓋の凹部以外の表面に当接させた場合には裏蓋を削る可能性のある押圧力を有した金属バネであっても、金属バネの設計を変更することなく押圧力を小さくさせて用いることができ、裏蓋が削られることを抑制できる。
【図面の簡単な説明】
【００２０】
【図１】本発明に係る実施形態の電子時計を示す正面図。
【図２】実施形態における電子時計を示す断面図。
【図３】実施形態における裏蓋を示す斜視図。
【図４】実施形態におけるスペーサーが取り付けられたムーブメントを示す斜視図。
【図５】図４の分解斜視図。
【図６】図２の部分拡大図。
【発明を実施するための形態】
【００２１】
以下、本発明の実施形態に係る電子時計１（時計）を図面に基づいて説明する。
図１は、電子時計１の正面図である。図２は、電子時計１の断面図である。
図１、図２に示すように、電子時計１は、外装ケース２と、裏蓋５と、カバーガラス６とを備えている。外装ケース２は、金属で形成された円筒状のケース本体３に、セラミックで形成されたベゼル４が嵌合されて構成されている。このベゼル４の内周側に、プラスチックで形成された円環状のダイヤルリング１１を介して、円盤状の文字板１２が配置されている。
外装ケース２の側面には、文字板１２の平面中心より、２時方向の位置にＡボタン７が設けられ、４時方向の位置にＢボタン８が設けられ、３時方向の位置にリューズ９が設けられている。
【００２２】
電子時計１は、図２に示すように、金属製のケース本体３の２つの開口のうち、表面側の開口は、ベゼル４を介してカバーガラス６で塞がれており、裏面側の開口は金属で形成された裏蓋５で塞がれている。
ケース本体３および裏蓋５には、ＢＳ（真鍮）、ＳＵＳ（ステンレス鋼）、チタンなどの金属材料が利用される。なお、ケース本体３には、樹脂などの金属以外の材料が利用されてもよい。
【００２３】
［裏蓋の構成］
図３は、裏蓋５を、カバーガラス６側から見た斜視図である。
図２、図３に示すように、裏蓋５は円盤状に形成されており、裏蓋５のカバーガラス６側には、裏蓋５を厚み方向から見た平面視において、裏蓋５の外周に沿って円環形状に形成された凹部５Ａが設けられている。
ここで、凹部５Ａは、平面視において、平面中心Ｏから裏蓋５の外周までの距離の半分となる位置Ｐ１よりも外側に形成されている。
また、裏蓋５は、凹部５Ａの外側に、裏蓋５の外周に沿ってカバーガラス６側に延出した側壁部５１を備えている。側壁部５１の外周面にはネジ構造５Ｂが形成されている。ケース本体３の内周面には、ネジ構造５Ｂに対応する溝が形成されており、裏蓋５は、当該ネジ構造５Ｂによってケース本体３にねじ込まれて取り付けられる。
なお、裏蓋５は、ケース本体３にねじ込まれるもの（スクリューバック）に限定されず、ネジなどの固定部品によって、ケース本体３に取り付けられるものでもよい。また、ケース本体３および裏蓋５は、一体で形成されていてもよい。
【００２４】
［時計の内部構造］
次に、電子時計１の外装ケース２に内蔵される内部構造について説明する。
図２に示すように、外装ケース２、裏蓋５、カバーガラス６で囲まれた空間内には、ダイヤルリング１１と、文字板１２と、太陽電池１３と、ムーブメント１４と、アンテナ体１７と、文字板受けリング１６と、スペーサー３０とが収納されている。
【００２５】
ダイヤルリング１１は、外周端が、ベゼル４の内周面に接触しているとともに、一面がカバーガラス６と並行している平板部分と、文字板１２側へ傾斜した傾斜部分を備えている。ダイヤルリング１１は、平面視においては円環状となっており、断面視においてはすり鉢形状となっている。ダイヤルリング１１の平板部分と、傾斜部分と、ベゼル４の内周面とによりベゼル４の内周に沿って連続する収納空間が形成されており、この収納空間内には、円環状のアンテナ体１７が収納されている。ここで、電子時計１は、地球の上空を周回しているＧＰＳ衛星から、衛星信号を受信し、受信した衛星信号に基づいて時刻を修正する機能を備えている。アンテナ体１７は、衛星信号を受信するためのものである。
【００２６】
文字板１２は、プラスチックなどの光透過性の材料で形成され、カバーガラス６との間に指針２１〜２４を備え、ダイヤルリング１１の内側に配置されている。
文字板１２の裏蓋５側には、光発電を行う太陽電池１３が備えられている。
【００２７】
太陽電池１３と裏蓋５との間には、文字板受けリング１６の内周に取り付けられたムーブメント１４が配置されている。
ムーブメント１４には、従来から時計に用いられているものが利用できる。本実施形態では、ムーブメント１４に、太陽電池１３の発電電力を充電する二次電池と、二次電池の電力で駆動されるステップモーターと、ステップモーターによって駆動される輪列とを備えたムーブメントが利用される。
ムーブメント１４は、ステップモーターおよび輪列を介して、図１に示す秒針２１、分針２２、時針２３、モード針２４、日車２５を駆動する。なお、秒針２１、分針２２、時針２３は、文字板１２の平面中心に設けられた指針軸に取り付けられ、モード針２４は、前記平面中心に対して８時方向にずれた位置に設けられた指針軸に取り付けられている。
また、ムーブメント１４には巻真１５が取り付けられ、巻真１５の端部にはリューズ９が取り付けられている。
【００２８】
［回路押さえの構成］
図４は、スペーサー３０が取り付けられたムーブメント１４を裏蓋５側から見た斜視図であり、図５は、図４の構成の分解斜視図である。
図２、図４、図５に示すように、ムーブメント１４は、裏蓋５側に、回路部品を覆うための円盤状の回路押さえ４０を備えている。回路押さえ４０は金属で形成されている。
回路押さえ４０には、図４、図５に示すように、外周から９時方向に延出した規制部４１と、外周から３時方向に延出した規制部４２とが形成されている。規制部４１，４２は、詳しくは後述するが、スペーサー３０の周方向の回転を規制する。
また、回路押さえ４０の外周側には、裏蓋５側に傾斜して延出した金属バネとしての導通バネ４３〜４６が形成されている。導通バネ４３〜４６は、ムーブメント１４が備える図示しない回路基板の接地端子と、裏蓋５およびケース本体３を電気的に接続させる。
【００２９】
［スペーサーの構成］
図２、図４、図５に示すように、回路押さえ４０の裏蓋５側には、平面視において、裏蓋５の凹部５Ａに対応して円環形状に形成されたスペーサー３０が取り付けられている。スペーサー３０の材料としては、ＡＢＳ樹脂（アクリロニトリル、ブタジエン、スチレンの共重合体）などの樹脂を例示できる。
スペーサー３０は、図４、図５に示すように、円環形状に形成されたスペーサー本体部３７と、突出部３１，３２，３３と、弾性部３４，３５，３６とから構成されている。
【００３０】
突出部３１〜３３は、スペーサー本体部３７の外周からムーブメント１４に向かう方向に突出して形成されている。
平面視において、突出部３１，３２は、スペーサー３０の周方向において、回路押さえ４０の規制部４１の両側に位置し、突出部３３は、前記周方向において、規制部４２の一方の側に位置している。
スペーサー３０を周方向に回転させる力が与えられた場合、突出部３１〜３３が規制部４１，４２に当たるため、スペーサー３０の周方向の回転が規制される。
また、スペーサー３０がケース本体３に向かって平面方向（文字板１２の表面に沿った方向）に移動した場合は、突出部３１〜３３が、回路押さえ４０の外周面に当たるため、スペーサー３０の平面方向の移動も規制される。
【００３１】
弾性部３４〜３６は、スペーサー本体部３７の外周に形成され、梁状に形成されることで弾性を有している。各弾性部３４〜３６には、裏蓋５側に突出する突起部３４１，３５１，３６１が形成されている。
各突起部３４１，３５１，３６１の先端は、裏蓋５の凹部５Ａの底面に当接し、当該底面によって押されているため、弾性部３４〜３６は撓んで変形している。これにより、スペーサー本体部３７には、ムーブメント１４側に向かう力が発生している。このため、ムーブメント１４は、スペーサー本体部３７によって、カバーガラス６側に押圧されている。すなわち、弾性部３４〜３６は、スペーサー本体部３７をムーブメント１４に押圧させる押圧部である。
【００３２】
また、スペーサー本体部３７には、回路押さえ４０の導通バネ４３〜４６が挿通される挿通部３７１，３７２，３７３，３７４が形成されている。導通バネ４３〜４６は、挿通部３７１〜３７４を通過して裏蓋５の凹部５Ａの底面に当接し、当該底面を押圧している。これにより、ムーブメント１４は、文字板１２側に押圧される。
【００３３】
スペーサー３０は、図６に示すように、裏蓋５に形成された凹部５Ａに配置され、回路押さえ４０に当接している。
ここで、スペーサー３０の厚み寸法Ｄ１、すなわち、スペーサー本体部３７の厚み寸法は、裏蓋５の凹部５Ａの深さ寸法Ｄ２よりも大きい。
スペーサー３０の厚み寸法Ｄ１は、例えば、約０．３ｍｍであり、凹部５Ａの深さ寸法Ｄ２は、例えば、約０．２ｍｍである。
この構成によれば、ムーブメント１４が裏蓋５に向かって移動すると、ムーブメント１４が裏蓋５に当接する前に、ムーブメント１４がスペーサー本体部３７を押圧し、押圧されたスペーサー本体部３７が裏蓋５の凹部５Ａの底面に当たる。これにより、ムーブメント１４の裏蓋５側への移動が抑制される。
なお、本実施形態では、裏蓋５の厚み寸法は、１０気圧防水を達成できる最小寸法（例えば、約１．５ｍｍ）に設定され、裏蓋５と回路押さえ４０との間隔は、裏蓋５に１０気圧がかかった場合の撓み量を考慮した最小寸法（例えば、約０．２５ｍｍ）に設定されている。
【００３４】
［実施形態の作用効果］
例えば、電子時計１が、平姿勢（裏蓋５側またはカバーガラス６側が下を向いた姿勢）で落下して地面に衝突した場合、その衝撃により、ムーブメント１４がケース本体３内を裏蓋５に向かって移動する場合がある。
ムーブメント１４には、例えば巻真１５など、外装部品に固定されている部品が取り付けられているため、ムーブメント１４がケース本体３内を裏蓋５に向かって移動した場合、移動量が大きくなると、当該部品に力がかかり、不具合が生じる場合がある。
ここで、本実施形態の作用効果を説明するため、まず、電子時計１がスペーサー３０を備えていない場合に、電子時計に衝撃が与えられ、ムーブメント１４がケース本体３内を移動する場合の一例について説明する。
電子時計が、例えばカバーガラス６側が下を向いて落下して地面に衝突した場合、最初、ムーブメント１４には、カバーガラス６側に移動する力が生じる。
ムーブメント１４のカバーガラス６側への移動は、文字板１２およびダイヤルリング１１を介してベゼル４によって抑えられるため、ムーブメント１４は、カバーガラス６側へ移動しないが、カバーガラス６側に撓む。
その後、ムーブメント１４は、撓んだ反動で、巻真１５におけるリューズ９が取り付けられた位置１５Ａ（図２参照）を支点として、裏蓋５側に傾く場合がある。この場合、ムーブメント１４における巻真１５が取り付けられる端部１４Ａ（図２参照）とは巻真１５の軸方向における反対側の端部１４Ｂ（図２参照）が、裏蓋５に向かって移動する。
そして、端部１４Ｂが裏蓋５に衝突すると、ムーブメント１４は、今度は、端部１４Ｂを支点として、裏蓋５側に傾く場合がある。この場合、端部１４Ａが裏蓋５に向かって移動する。このとき、巻真１５に力がかかり、巻真１５がムーブメント１４から引き出されたり、巻真１５がリューズ９から外れたりする場合がある。
【００３５】
これに対して、本実施形態の電子時計１によれば、ムーブメント１４が裏蓋５に向かって移動した場合、ムーブメント１４がスペーサー３０を押圧し、押圧されたスペーサー３０が裏蓋５に当たることで、ムーブメント１４の移動が抑制される。これにより、スペーサー３０が配置されていない場合と比べて、ムーブメント１４の裏蓋５側への移動量を少なくでき、巻真１５がムーブメント１４から引き出されたり、巻真１５がリューズ９から外れたりすることを抑制できる。
また、ムーブメント１４が裏蓋５に当たることも抑制できる。
【００３６】
また、スペーサー３０は裏蓋５に形成された凹部５Ａに配置されているため、スペーサー３０が平坦な裏蓋５とムーブメント１４との間に配置される場合と比べて、裏蓋５およびスペーサー３０を合わせた見た場合の厚み寸法を小さくできる。これにより、電子時計１を薄型化できる。
【００３７】
裏蓋５は、外周でケース本体３に取り付けられているため、例えば水中などで外部から圧力がかかった場合、外周側の方が、平面中心側よりも撓みにくく、耐久性が高い。
このため、耐久性の高い裏蓋５の外周側、具体的には、位置Ｐ１よりも外側に、凹部５Ａを形成することで、耐久性の低い裏蓋５の平面中心側に凹部５Ａを形成する場合と比べて、外部からの圧力に対する裏蓋５の耐久性を向上できる。
【００３８】
ケース本体３の内側にムーブメント１４を配置させ、当該ムーブメント１４にスペーサー３０を取り付けた後、当該裏蓋５をケース本体３にねじ込む場合、凹部５Ａ内にスペーサー３０を配置させた状態で、裏蓋５を回転させることができるため、裏蓋５とスペーサー３０とが干渉することを回避できる。このように電子時計１によれば、ねじ込みタイプの裏蓋５も用いることができるため、設計の自由度を向上できる。
また、スペーサー３０の周方向の回転が規制されているため、裏蓋５をケース本体３にねじ込む場合、スペーサー３０が予め設定された位置から周方向に回転してずれることを抑制できる。また、当該回転を規制する規制部４１，４２は、ムーブメント１４に設けられているため、当該規制部を別部品としてケース本体３内に組み込む場合と比べて、電子時計１の組み立てを容易にできる。
【００３９】
ムーブメント１４は、スペーサー本体部３７によってカバーガラス６側に押圧され、文字板１２などに当たる。このため、例えば、電子時計１を動かした場合などに、ムーブメント１４がケース本体３内で移動することを防止でき、音（ガタ音）が鳴ることを防止できる。
【００４０】
裏蓋５がチタンなどステンレス鋼などと比べて柔らかい材料によって構成されている場合に、導通バネ４３〜４６の押圧力が大きいと、導通バネ４３〜４６の先端によって裏蓋５が削られることがある。
電子時計１によれば、導通バネ４３〜４６は、裏蓋５の凹部５Ａの底面に当接しているため、裏蓋５の凹部５Ａ以外の表面に当接する場合と比べて、変形量を小さくでき、裏蓋５を押す力を小さくできる。このため、裏蓋５の凹部５Ａ以外の表面に当接させた場合には裏蓋５を削る可能性のある押圧力を有した導通バネであっても、導通バネの設計を変更することなく押圧力を小さくさせて用いることができ、裏蓋５が削られることを抑制できる。
なお、電子時計１によれば、例えば、スペーサー３０を設けずに、導通バネ４３〜４６の押圧力のみによって、ムーブメント１４の移動量を抑制する場合と比べて、導通バネ４３〜４６の押圧力を小さくでき、裏蓋５が削られることを抑制できる。
【００４１】
［他の実施形態］
なお、本発明は前述の実施形態に限定されるものではなく、本発明の目的を達成できる範囲での変形、改良等は本発明に含まれるものである。
【００４２】
上記実施形態では、平面視において、位置Ｐ１の外側に、裏蓋５の外周に沿って円環形状に形成されたスペーサー３０が配置されているが、本発明はこれに限定されない。
例えば、四角い環状や、楕円の環状に形成されたスペーサーが配置されていてもよい。
また、裏蓋５の外周に沿って、３つ以上の複数の独立したスペーサーが配置されている構成であってもよい。
この場合、複数のスペーサーのうちの少なくとも１つは、巻真１５の軸に沿った直線Ｌ１（図４参照）と重なる位置に配置されていることが好ましい。
巻真１５を備える電子時計１では、上記の通り、衝撃により、ムーブメント１４の直線Ｌ１方向における端部１４Ａや端部１４Ｂが裏蓋５に向かって移動する場合がある。この場合、上記構成によれば、端部１４Ａや端部１４Ｂがスペーサー３０を直接押圧するため、ムーブメント１４の裏蓋５側への移動量をより確実に少なくできる。
例えば、スペーサーが３つあり、そのうちの１つのスペーサーが、直線Ｌ１と重なる位置に配置された場合、残りの２つのスペーサーは、平面視において、裏蓋５の平面中心Ｏを通り直線Ｌ１と直交する直線に対して、前記１つのスペーサーが配置されている側とは反対側に配置され、かつ、直線Ｌ１を挟んで配置されていることが好ましい。
また、スペーサーが４つあり、そのうちの２つのスペーサーが、直線Ｌ１と重なる位置に配置された場合、残りの２つのスペーサーは、直線Ｌ１を挟んで配置されていればよい。
また、スペーサー３０は、平面視において、ムーブメント１４と重なる任意の位置に任意の形状で配置されていてもよい。
このような場合、裏蓋５の凹部５Ａは、スペーサー３０の配置や形状に対応して形成される。
【００４３】
上記実施形態では、スペーサー３０によってムーブメント１４はカバーガラス６側に押されているが、本発明はこれに限定されない。例えば、他の部品によってムーブメント１４をカバーガラス６側に押圧できる場合は、スペーサー３０によってムーブメント１４を押圧しなくてもよい。この場合、スペーサー３０は、弾性部３４〜３６を備えなくてよい。
【００４４】
上記実施形態では、スペーサー３０の突出部３１〜３３が、回路押さえ４０から外側に延出した規制部４１，４２に当たることで、スペーサー３０の周方向の回転が規制されているが、本発明はこれに限定されない。
例えば、スペーサー３０に貫通孔が形成され、回路押さえ４０から裏蓋５側に延出した規制部が、当該貫通孔を挿通することで、スペーサー３０の前記回転が規制されてもよい。
また、スペーサー３０の回転を規制する規制部は、回路押さえ４０ではなく、地板などのムーブメント１４を構成する他の部品に形成されていてもよい。
【００４５】
上記実施形態において、スペーサー３０に、シリコーンゲルなどの弾性材料を用いるようにしてもよい。
この場合、自由状態の厚み寸法が、ムーブメント１４と裏蓋５の凹部５Ａの底面との隙間寸法よりも大きいスペーサーを用い、当該スペーサーを、ムーブメント１４と裏蓋５で挟んで保持することで、文字板１２の表面に沿った方向におけるスペーサーの移動を規制でき、かつ、ムーブメント１４をカバーガラス６側に押すことができる。このため、ムーブメント１４やスペーサーに、文字板１２の表面に沿った方向におけるスペーサーの移動を規制するための構成や、ムーブメント１４をカバーガラス６側に押すための構成を持たせなくてもよい。
なお、この場合は、裏蓋５をねじ込んでケース本体３に取り付けた場合、スペーサーが破損する可能性があるため、裏蓋５は、ネジなどの固定部品によって、ケース本体３に取り付けられることが好ましい。
【００４６】
上記実施形態では、金属バネとしての導通バネ４３〜４６は裏蓋５に向かう方向に延出して裏蓋５の凹部５Ａの底面に当接しているが、本発明はこれに限定されない。
例えば、裏蓋５の凹部５Ａ以外の表面に当接してもよいし、ケース本体３に向かう方向に延出し、ケース本体３の内周面に当接してもよい。
また、金属バネは、ムーブメント１４が備える電池押えなどに形成されていてもよい。また、ムーブメント１４の接地端子と、裏蓋５およびケース本体３とを電気的に接続させるものでなくてもよい。
【００４７】
上記実施形態では、電子時計１は、指針２１〜２４を備え、ムーブメント１４によって各指針２１〜２４を駆動するアナログ時計であるが、本発明はこれに限定されない。例えば、液晶パネルなどのデジタル表示装置を備え、ムーブメント１４によってデジタル表示装置を駆動するデジタル時計であってもよい。また、本発明は、機械式時計に適用することもできる。
【符号の説明】
【００４８】
１…電子時計（時計）、２…外装ケース、３…ケース本体、４…ベゼル、５…裏蓋、５Ａ…凹部、５Ｂ…ネジ構造、６…カバーガラス、７…Ａボタン、８…Ｂボタン、９…リューズ、１１…ダイヤルリング、１２…文字板、１３…太陽電池、１４…ムーブメント、１４Ａ，１４Ｂ…端部、１５…巻真、１５Ａ…位置、１６…文字板受けリング、１７…アンテナ体、２１…秒針、２２…分針、２３…時針、２４…モード針、２５…日車、３０…スペーサー、３１〜３３…突出部、３４〜３６…弾性部、３７…スペーサー本体部、４０…回路押さえ、４１，４２…規制部、４３〜４６…導通バネ（金属バネ）、５１…側壁部、３４１，３５１，３６１…突起部、３７１，３７２，３７３，３７４…挿通部、Ｏ…平面中心、Ｐ１…位置。
【図１】
0006798155.tif 000002
【図２】
0006798155.tif 000003
【図３】
0006798155.tif 000004
【図４】
0006798155.tif 000005
【図５】
0006798155.tif 000006
【図６】
0006798155.tif 000007